(57)【要約】【課題】簡易な構成で襟ぐりが大きい衣服のずり落ちを防止することが可能なハンガーを提供することを目的とする。【解決手段】ハンガー１は、本体部２の肩部６の上面から上方に延設された立上り部７と、立上り部７の上部から肩部６の外側方向へ突出し、肩部６の上面から離隔して設けられた返し部８とを備え、立上り部７及び返し部８は、衣服が掛けられたとき衣服の襟ぐり部分よりも内側に位置する。立上り部７及び返し部８は、左右対称となる位置に対で設けられ、一側の立上り部７及び返し部８が設けられた位置と、一側の立上り部７及び返し部８が設けられた肩部６とは反対側の肩部６の先端部６ａとの間の距離は、衣服の襟ぐり部分の幅よりも広い。【選択図】図１
0003205350.tif 000002
【実用新案登録請求の範囲】
【請求項１】
ハンガー本体の肩部の上面から上方に延設された立上り部と、
前記立上り部の上部から前記肩部の外側方向へ突出し、前記肩部の上面から離隔して設けられた返し部と、
を備え、
前記立上り部及び前記返し部は、衣服が掛けられたとき前記衣服の襟ぐり部分よりも内側に位置するハンガー。
【請求項２】
前記立上り部及び前記返し部は、左右対称となる位置に対で設けられ、
一側の前記立上り部及び前記返し部が設けられた位置と、前記一側の前記立上り部及び前記返し部が設けられた前記肩部とは反対側の前記肩部の先端との間の距離は、前記衣服の襟ぐり部分の幅よりも広い請求項１に記載のハンガー。
【考案の詳細な説明】
【技術分野】
【０００１】
本考案は、ハンガーに関するものである。
【背景技術】
【０００２】
従来のハンガーでは、インナーウエア等の襟ぐりが大きい衣服をハンガーに掛けた場合、図６に示すように、衣服１０がハンガー５０の片方にずれると、衣服１０の一方の肩部分１１がハンガー５０の肩部５１から外れてしまいやすい。下記の特許文献１では、襟ぐりの大きい衣服がハンガーからずり落ちないように、ハンガーの肩部の一部を二重にして、ハンガー本体に襟ぐりを挟み留める機能部分を設けることが開示されている。
【先行技術文献】
【特許文献】
【０００３】
【特許文献１】実用新案登録第３１１６１５０号公報
【考案の概要】
【考案が解決しようとする課題】
【０００４】
上記の特許文献１に記載された構成を採用した場合、ハンガーに衣服を掛けるとき、衣服を挟み込むという作業が必要になる。また、衣服の上に、衣服を挟み留めるために形成されたハンガーの部材の一部が配置されるため、店舗等で衣服をディスプレイする場合、見栄えが悪くなる。
【０００５】
本考案は、このような事情に鑑みてなされたものであって、簡易な構成で襟ぐりが大きい衣服のずり落ちを防止することが可能なハンガーを提供することを目的とする。
【課題を解決するための手段】
【０００６】
上記課題を解決するために、本考案のハンガーは以下の手段を採用する。
すなわち、本考案に係るハンガーは、ハンガー本体の肩部の上面から上方に延設された立上り部と、前記立上り部の上部から前記肩部の外側方向へ突出し、前記肩部の上面から離隔して設けられた返し部とを備え、前記立上り部及び前記返し部は、衣服が掛けられたとき前記衣服の襟ぐり部分よりも内側に位置する。
【０００７】
この構成によれば、立上り部が、ハンガー本体の肩部の上面から上方に延設され、かつ、返し部が、立上り部の上部から肩部の外側方向へ突出している。また、ハンガーに衣服が掛けられたとき、立上り部及び返し部が、衣服の襟ぐり部分よりも内側位置する。そのため、衣服がハンガーの片側にずれたとき、襟ぐり部分が立上り部に当たり、かつ、返し部が設けられているため、衣服が更にハンガーの片側へ滑っていくことを防止できる。また、返し部は、肩部の上面から離隔して設けられているため、衣服を挟み留めることなく、衣服のずり落ちを防止できる。
【０００８】
上記考案において、前記立上り部及び前記返し部は、左右対称となる位置に対で設けられてもよく、一側の前記立上り部及び前記返し部が設けられた位置と、前記一側の前記立上り部及び前記返し部が設けられた前記肩部とは反対側の前記肩部の先端との間の距離は、前記衣服の襟ぐり部分の幅よりも広い。
【０００９】
この構成によれば、衣服の襟ぐり部分が大きい場合であっても、衣服がハンガーの片側にずれて、襟ぐり部分が立上り部に当たったとき、立上り部に当たった部分とは反対の肩部分が、ハンガーの肩部の先端から落下しない。
【考案の効果】
【００１０】
本考案によれば、衣服がハンガーの片側にずれたとき、襟ぐり部分が立上り部に当たり、かつ、立上り部から外側へ向かって返し部が設けられているため、衣服が更にハンガーの片側へ滑っていくことを防止できる。その結果、簡易な構成で襟ぐりが大きい衣服のずり落ちを防止することができる。
【図面の簡単な説明】
【００１１】
【図１】本考案の一実施形態に係るハンガーを示す正面図である。
【図２】本考案の一実施形態に係るハンガーを示す斜視図である。
【図３】本考案の一実施形態に係るハンガーを示す部分拡大正面図である。
【図４】本考案の一実施形態に係るハンガーの使用状態を示す正面図であり、衣服が真っ直ぐに掛っている状態を示している。
【図５】本考案の一実施形態に係るハンガーの使用状態を示す正面図であり、衣服がずれて掛っている状態を示している。
【図６】従来のハンガーの使用状態を示す正面図であり、衣服がずれて掛っている状態を示している。
【考案を実施するための形態】
【００１２】
以下、本考案に係る一実施形態に係るハンガー１について、図面を参照して説明する。
ハンガー１は、図１〜図３に示すように、本体部２と、フック部３とを備えており、図４に示すように、本体部２に衣服１０が掛けられ、フック部３を介してバー等にハンガー１が吊り下げられる。フック部３は、本体部２の上部に設けられ、バー等からハンガー１が落下しにくい構成を有する。なお、図１及び図２で示した例では、フック部３に板状のタグ部４が形成されている。タグ部４には、衣服１０のサイズを示すサイズシール等が貼付される。
【００１３】
本体部２とフック部３は、同一の材質で一体的に形成されてもよいし、本体部２とフック部３は、別の材質で、それぞれ組み合わされてもよい。本体部２とフック部３の材質は、例えば、合成樹脂、木材、金属等である。
【００１４】
本体部２は、左右対称に形成されており、フック部３と接続される中間部５と、中間部５から外側方向に両側へ延設された肩部６などからなる。
【００１５】
フック部３は、中間部５の上面の中央において中間部５と接続される。
肩部６は、中間部５から斜め下方に形成された斜面を有し、肩部６の上面に衣服１０の肩部分１１が掛けられる。肩部６の上面において、立上り部７と先端部６ａとの間は、ハンガー１に掛けられた衣服１０が部分的に突出したり皺が生じたりしにくいように滑らかな曲面や直線で形成されることが好ましい。図１及び図２に示した例では、筒状又は環状の滑り止め部（図示せず。）が取り付けられる凹部９が肩部６の上面及び下面に形成されている。凹部９に滑り止め部を取り付けることで、滑り止め部が肩部６から落ちにくくなる。滑り止め部は、肩部６に掛けられた衣服１０のずれを防止する。
【００１６】
図４に示すように、本実施形態に係るハンガー１に衣服１０が掛けられたとき、肩部６の上面のうち、衣服１０の襟ぐり部分１２よりも内側に位置する場所に、立上り部７及び返し部８が形成される。
【００１７】
立上り部７は、肩部６の上面から上方に延設されている。立上り部７は、肩部６の先端部６ａ側に面した側面を有する。
【００１８】
立上り部７の上部には、立上り部７の上部から肩部６の外側方向へ突出している返し部８が設けられる。返し部８は、肩部６の上面から離隔して設置される。返し部８の下面は、肩部６の上面に面している。したがって、肩部６の上面、立上り部７の側面及び返し部８の下面の三つの面によって、ほぼコの字形状が構成される。
【００１９】
立上り部７の高さ、すなわち、肩部６の上面から立上り部７の下面までの距離は、ハンガー１に掛ける衣服１０の襟ぐり部分１２の厚み以上である。
【００２０】
立上り部７及び返し部８は、左右対称となる位置に対で設けられる。二つの立上り部７の間の距離は、例えば約１２０ｍｍである。なお、このサイズは、大人向けの衣服（例えばインナーウエア）をハンガー１に掛けることを想定した場合のサイズである。
【００２１】
一側の立上り部７及び返し部８が設けられた位置と、一側の立上り部７及び返し部８が設けられた肩部６とは反対側の肩部６の先端部６ａとの間の距離は、衣服１０の襟ぐり部分１２の幅よりも広い。これにより、図５に示すように、衣服１０がハンガー１の片側にずれて、襟ぐり部分１２が立上り部７に当たったとき、立上り部７に当たった部分とは反対の肩部分１１が、ハンガー１の肩部６の先端部６ａから落下してしまうことを防止できる。
【００２２】
図４に示すように、ハンガー１に衣服１０が掛けられたとき、立上り部７及び返し部８が、衣服１０の襟ぐり部分よりも内側位置する。そのため、本実施形態によれば、図５に示すように、衣服１０がハンガーの片側にずれたとき、襟ぐり部分が立上り部７に当たる。また、立上り部７から外側に向かって、返し部８が設けられているため、衣服１０が更にハンガー１の片側へ滑っていくことを防止できる。また、返し部８は、肩部６の上面から離隔して設けられているため、衣服１０を挟み留めることなく、衣服１０のずり落ちを防止できる。
【符号の説明】
【００２３】
１    ：ハンガー
２    ：本体部
３    ：フック部
４    ：タグ部
５    ：中間部
６    ：肩部
６ａ  ：先端部
７    ：立上り部
８    ：返し部
９    ：凹部
１０  ：衣服
１１  ：肩部分
１２  ：襟ぐり部分
５０  ：ハンガー
５１  ：肩部
【図１】
0003205350.tif 000003
【図２】
0003205350.tif 000004
【図３】
0003205350.tif 000005
【図４】
0003205350.tif 000006
【図５】
0003205350.tif 000007
【図６】
0003205350.tif 000008